(57)【要約】【課題】内部が高温のときにカバー部材の開放を禁止するように構成された浴室暖房装置を提供すること。【解決手段】外装ケース内に浴室の空気を循環させるための循環ファンと、循環させる空気を加熱するための加熱手段を備えた浴室暖房装置において、外装ケースは、メンテナンス用の開口部を有するケース本体と、この開口部を開閉可能なカバー部材を有し、開口部をカバー部材で閉じた状態で加熱手段が設定温度以上である場合に、カバー部材に係合してカバー部材の開放を禁止するロック部材を加熱手段に装備した。【選択図】図３
2020134078.tif 000002
【特許請求の範囲】
【請求項１】
外装ケース内に浴室の空気を循環させるための循環ファンと、循環させる空気を加熱するための加熱手段を備えた浴室暖房装置において、
前記外装ケースは、メンテナンス用の開口部を有するケース本体と、前記開口部を開閉可能なカバー部材を有し、
前記開口部を前記カバー部材で閉じた状態で前記加熱手段が設定温度以上である場合に、前記カバー部材に係合して前記カバー部材の開放を禁止するロック部材が前記加熱手段に装備されたことを特徴とする浴室暖房装置。
【請求項２】
前記ロック部材は、感知した温度をピストンの進出量に変換するサーモエレメントと、前記ピストンの先端に同軸状に装着されたピン部材を有し、前記設定温度以上の場合に前記ピストンと共に突出した前記ピン部材の先端部分が前記カバー部材に設けられた係合部に係合することを特徴とする請求項１に記載の浴室暖房装置。
【請求項３】
前記カバー部材は、一端側がヒンジ部を介して前記ケース本体に連結され、他端側に前記係合部を備えたことを特徴とする請求項２に記載の浴室暖房装置。
【請求項４】
前記加熱手段は、外部の熱源機で加熱された暖房熱媒と前記循環ファンが循環させる浴室の空気との間で熱交換させるフィンアンドチューブ型の熱交換器であることを特徴とする請求項１〜３の何れか１項に記載の浴室暖房装置。
【発明の詳細な説明】
【技術分野】
【０００１】
本発明は、外装ケースを開閉可能なカバー部材を有する浴室暖房装置に関する。
【背景技術】
【０００２】
従来から、電気機器等の発熱部に人が接触することを防ぐための着脱可能なカバー部材を、発熱部が高温の場合に取り外せないようにするロック機構が利用されている。例えば特許文献１のように、発熱部材を覆うスライド式のカバー部材と形状回復温度以上の高温になると湾曲形状に戻る板状の形状記憶合金を有し、発熱部が高温になると形状記憶合金に装備された係合片が形状記憶合金の形状回復によって進出してカバー部材の係合孔に係合し、カバー部材のスライド移動を禁止するロック機構が知られている。このロック機構は、係合片の進出方向とカバー部材のスライド方向が略直交するので係合片が係合孔に係合するとカバー部材のスライド移動が禁止され、係合片が係合孔から突出してスライド移動禁止状態であることを目視確認できる。
【０００３】
一方、外部の熱源機から供給される温水（暖房熱媒）を利用して浴室内の空気を温める浴室暖房装置が広く利用されている。この浴室暖房装置は、その外装ケース内に、浴室内の空気を循環させる循環ファンと、供給される温水と循環させる空気との間で熱交換させる熱交換器等を備えている。外装ケースはケース本体とカバー部材を有する。
【０００４】
ケース本体は循環させる空気の入口を兼ねるメンテナンス用の開口部を有し、この開口部には着脱可能なフィルタやパネル部材が装着される。カバー部材は、ケース本体に回動可能に連結されて、フィルタやパネル部材が装着される開口部を開閉可能に構成されている。
【０００５】
フィルタは、循環させる空気と一緒に浴室暖房装置に取り入れられる埃等を捕集して、熱交換器等に埃等が付着し難くしているので、適当な時期にフィルタを掃除することが必要になる。また、フィルタは埃等を全て捕集できるわけではないので、内部の熱交換器等に付着した埃等を除去する掃除も必要になることがある。
【０００６】
フィルタの掃除は、カバー部材を開けてフィルタを取り外して行い、フィルタの埃を除去した後、フィルタを取り付けてカバー部材を閉じる。内部の熱交換器等の掃除も同様に、カバー部材を開けてフィルタやパネル部材を取り外した開口部から埃等を除去した後、フィルタやパネル部材を取り付けてカバー部材を閉じる。内蔵部品の交換等も同様に開口部から行うことがある。
【先行技術文献】
【特許文献】
【０００７】
【特許文献１】特許第５７００５２９号公報
【発明の概要】
【発明が解決しようとする課題】
【０００８】
浴室暖房装置は、通常、浴室の壁の天井に近い部分に取り付けられ、そのカバー部材は多様な設置環境に対応できるように、取り付けられた壁と反対側である浴室暖房装置の前面部を開くように構成されている。この前面部に設けられた開口部から掃除や部品交換等のメンテナンスを行うとき、直前まで暖房運転を行っていた場合には浴室暖房装置の内部が高温になっており、メンテナンスを行う作業者が高温の熱交換器等に触れると火傷等の危険がある。
【０００９】
それ故、浴室暖房装置の内部が高温のときには、カバー部材を開けられないようにロックして危険を回避することが要求されているが、そのようなロック機構を備えた浴室暖房装置はなかった。また、カバー部材はスライド式ではないので、浴室暖房装置に特許文献１のカバー部材のロック機構を適用することも困難である。
【００１０】
本発明の目的は、内部が高温のときにカバー部材の開放を禁止するように構成された浴室暖房装置を提供することである。
【課題を解決するための手段】
【００１１】
請求項１の発明の浴室暖房装置は、外装ケース内に浴室の空気を循環させるための循環ファンと、循環させる空気を加熱するための加熱手段を備えた浴室暖房装置において、前記外装ケースは、メンテナンス用の開口部を有するケース本体と、前記開口部を開閉可能なカバー部材を有し、前記開口部を前記カバー部材で閉じた状態で前記加熱手段が設定温度以上である場合に、前記カバー部材に係合して前記カバー部材の開放を禁止するロック部材が前記加熱手段に装備されたことを特徴としている。
【００１２】
上記構成によれば、加熱手段に装備されたロック部材は、加熱手段が設定温度以上である場合にカバー部材の開放を禁止するので、浴室暖房装置内部の加熱手段が設定温度以上の高温のときにはメンテナンスを禁止して火傷等の危険を回避することができる。
【００１３】
請求項２の発明の浴室暖房装置は、請求項１の発明において、前記ロック部材は、感知した温度をピストンの進出量に変換するサーモエレメントと、前記ピストンの先端に同軸状に装着されたピン部材を有し、前記設定温度以上の場合に前記ピストンと共に突出した前記ピン部材の先端部分が前記カバー部材に設けられた係合部に係合することを特徴としている。
【００１４】
上記構成によれば、加熱手段が設定温度以上の場合にサーモエレメントによってピン部材を進出させて、その先端部分をカバー部材の係合部に係合させることによりカバー部材の開放を禁止するので、浴室暖房装置内部の加熱手段が設定温度以上の高温のときにはメンテナンスを禁止して火傷等の危険を回避することができる。
【００１５】
請求項３の発明の浴室暖房装置は、請求項２の発明において、前記カバー部材は、一端側がヒンジ部を介して前記ケース本体に連結され、他端側に前記係合部を備えたことを特徴としている。
【００１６】
上記構成によれば、ロック部材がカバー部材の係合部に係合することにより、ヒンジ部の軸周りに回動させることにより開閉されるカバー部材の開放を禁止することができるので、浴室暖房装置内部の加熱手段が設定温度以上の高温のときにはメンテナンスを禁止して火傷等の危険を回避することができる。
【００１７】
請求項４の発明の浴室暖房装置は、請求項１〜３の何れか１項の発明において、前記加熱手段は、外部の熱源機で加熱された暖房熱媒と前記循環ファンが循環させる浴室の空気との間で熱交換させるフィンアンドチューブ型の熱交換器であることを特徴としている。
【００１８】
上記構成によれば、サーモエレメントを使用できる温度且つ加熱手段が設定温度以上の高温のときに確実にカバー部材の開放を禁止できると共に、暖房熱媒の供給を停止して送風運転することにより加熱手段の温度を早く下げてメンテナンスを開始することができる。
【発明の効果】
【００１９】
本発明の浴室暖房装置によれば、内部の加熱手段が高温のときにカバー部材の開放を禁止することによってメンテナンスを禁止して火傷等の危険を回避することができる。
【図面の簡単な説明】
【００２０】
【図１】本発明の実施例に係る浴室暖房装置の外観図である。
【図２】図１の浴室暖房装置のカバー部材を開放した状態を示す外観図である。
【図３】図２のIII−III線断面図である。
【図４】本発明の実施例に係るロック部材の周辺要部を示す正面図である。
【図５】図４のロック部材が係合部に係合されない状態を示す要部断面図である。
【図６】図４のロック部材が係合部に係合された状態を示す要部断面図である。
【発明を実施するための形態】
【００２１】
以下、本発明を実施するための形態について実施例に基づいて説明する。
【実施例】
【００２２】
最初に、浴室暖房装置１について図１〜図４に基づいて説明する。
浴室暖房装置１は、浴室の壁の天井に近い位置に配設される壁掛タイプのものであり、その外装ケース２内に、浴室の空気を循環させるための循環ファン３と、循環させる空気を加熱するための加熱手段等を備えている。加熱手段は、例えば外部の熱源機から供給される８０〜９０℃程度の温水（暖房熱媒）を利用して循環させる空気を加熱するフィンアンドチューブ型の熱交換器４である。循環ファン３は、広い幅で均一に送風できるクロスフローファンであり、熱交換器４の全体から熱交換した空気を集めて効率的に暖房を行う。
【００２３】
外装ケース２は、ケース本体５とカバー部材６を有する。ケース本体５は、配設される壁とは反対側の前面部に、循環させる空気の入口であると共に内部の掃除等のメンテナンス時に使用するメンテナンス用の開口部５ａと送風口５ｂを有し、この開口部５ａには着脱可能なフィルタ７やパネル部材８が装着される。
【００２４】
フィルタ７は細かい網目状に形成されて空気を通し、浴室内の空気と一緒に浴室暖房装置１に取り入れられる埃等を捕集して、熱交換器４や循環ファン３等への埃等の付着を抑制する。パネル部材８は、メンテナンス時以外は内部機器に触れることができないように保護しているが、パネル部材８が装備されない場合もある。
【００２５】
カバー部材６は、その上端側（一端側）の部分がケース本体５の開口部５ａの上縁部分にヒンジ部６ａを介して連結されている。開口部５ａは、ヒンジ部６ａの軸周りにカバー部材６を回動させることによって開閉される。カバー部材６がフィルタ７やパネル部材８が装着された開口部５ａを覆う状態が閉じた状態である（図１参照）。この閉じた状態でも浴室暖房装置１が浴室内の空気を取り入れることができるように、カバー部材６にはグリル状の空気吸込口６ｂが形成されている。尚、外装ケース２は、カバー部材６が閉じた状態と開いた状態（図２参照）を維持できるように図示外のラッチ機構や係合機構等を備えている。
【００２６】
フィルタ７はカバー部材６を開いた状態で取り外すことができ、取り外したフィルタ７の埃等を除去し、開口部５ａから露出する熱交換器４に付着した埃等も掃除することができる。また、パネル部材８を取り外して、熱交換器４よりも奥に配設された循環ファン３の掃除や図示外の制御回路等の内蔵部品の交換等を行うことができる（図４参照）。掃除や部品交換等のメンテナンスを行った後、取り外したフィルタ７やパネル部材８を開口部５ａに取り付け、カバー部材６を閉じる。パネル部材８には、後述するカバー部材６の係合部１０を挿通させるための挿通孔８ａが設けられている。
【００２７】
次に、カバー部材６の開放を禁止するロック機構について図３〜図６に基づいて説明する。
カバー部材６の外装ケース２の内側となる部位に係合部１０が設けられ、熱交換器４の伝熱管４ａにはロック部材１１が装備され、これら係合部１０とロック部材１１によりロック機構が構成されている。カバー部材６を閉じた状態で暖房運転が行われ、温水が供給されて熱交換器４が予め定められた設定温度以上（例えば火傷の危険がある６０℃以上）の高温である場合に、ロック部材１１が係合部１０に係合してカバー部材６の開放を禁止する。
【００２８】
係合部１０は、外装ケース２の内方に突出する突出部１０ａと、この突出部１０ａを浴室暖房装置１の幅方向に貫通する係合孔１０ｂで構成されている。この係合部１０におけるロック部材１１の係合状態を例えば挿通孔８ａを通して目視確認できるように、カバー部材６の係合部１０の近傍に確認用の窓が設けられていてもよい。
【００２９】
ロック部材１１は、感温部１２ａが感知した温度をピストン１２ｂの進出量に変換するサーモエレメント１２と、そのピストン１２ｂの先端に同軸状に装着されたピン部材１３と、ピン部材１３を後退させる方向に付勢するスプリング１４と、これらサーモエレメント１２とピン部材１３とスプリング１４を収容する円筒状のケース１１ａを有する。ケース１１ａの軸方向一端側から感温部１２ａがケース１１ａの外側に延び、軸方向他端側からピン部材１３がケース１１ａの外側に進出する。
【００３０】
サーモエレメント１２は、感温部１２ａが感知した温度に応じて融解し体積膨張する例えばパラフィンワックスを内部に収容している。その体積膨張によってピストン１２ｂを進出させる力がスプリング１４の付勢力に打ち勝って、ピストン１２ｂに装着されたピン部材１３を感温部１２ａと反対側に進出させる。感温部１２ａの温度が低くなると体積膨張が小さくなり、スプリング１４の付勢力によってピン部材１３がピストン１２ｂと共に感温部１２ａ側に後退する。ロック部材１１は、感温部１２ａが設定温度以上の温度を感知した場合に、ピン部材１３の先端部分が係合部１０の係合孔１０ｂに係合する進出量となるように形成されている。
【００３１】
ロック部材１１は、ピン部材１３の進退方向が浴室暖房装置１の幅方向となる姿勢で、熱交換器４の下端側の伝熱管４ａの屈曲部に感温部１２ａが当接するようにロウ付け又は固定具によって取り付けられ、熱交換器４における空気の流通を妨げない。また、浴室暖房装置１内で最も高温になる熱交換器４の伝熱管４ａの温度を感温部１２ａが直接感知してピン部材１３を進出／後退させるので、確実に安全を確保できる。
【００３２】
板状の形状記憶合金の形状回復を利用するロック機構と比べて、体積膨張によってピン部材１３を進出させるサーモエレメント１２の力は強いので、ピン部材１３を後退させるように押し込んで係合を解除することが容易ではなく、安全確保に有利である。また、形状回復した形状記憶合金は温度が下がったときに、外力を受けなければ変形しないので係合を解除する操作等が必要であるが、ロック部材１１は感温部１２ａが感知した温度によってピン部材１３を後退させて自動的に係合を解除する。従って、係合を解除する操作が不要なので、外部から操作できない外装ケース内に係合部１０とロック部材１１を配設して安全を確保できる。
【００３３】
本発明の作用、効果について説明する。
浴室暖房装置１は、外装ケース２内に浴室の空気を循環させるための循環ファン３と、循環させる空気を加熱するための加熱手段として熱交換器４を備えている。外装ケース２は、メンテナンス用の開口部５ａを有するケース本体５と、開口部５ａを開閉可能なカバー部材６を有する。カバー部材６が開口部５ａを閉じた状態で熱交換器４が設定温度以上である場合に、カバー部材６に係合してカバー部材６の開放を禁止するロック部材１１が熱交換器４に装備されている。熱交換器４に装備されたロック部材１１は、熱交換器４が設定温度以上である場合にカバー部材６の開放を禁止するので、浴室暖房装置１の内部の熱交換器４が設定温度以上の高温のときにはメンテナンスを禁止して火傷等の危険を回避することができる。
【００３４】
また、ロック部材１１は、感温部１２ａが感知した温度をピストン１２ｂの進出量に変換するサーモエレメント１２と、ピストン１２ｂの先端に同軸状に装着されたピン部材１３を有する。そして、感温部１２ａが設定温度以上の温度を感知した場合に、ピストン１２ｂと共に突出したピン部材１３の先端部分がカバー部材６に設けられた係合部１０に係合し、カバー部材６の開放を禁止する。従って、浴室暖房装置１の内部の熱交換器４が設定温度以上の高温のときにはメンテナンスを禁止して火傷等の危険を回避することができる。
【００３５】
カバー部材６は、上端側がヒンジ部６ａを介してケース本体５に連結され、下端側に係合部１０を備え、ロック部材１１のピン部材１３の先端部分が係合部１０に係合することによって、ヒンジ部６ａの軸周りに回動させることにより開閉されるカバー部材６の開放を禁止する。従って、浴室暖房装置１の内部の熱交換器４が設定温度以上の高温のときにはメンテナンスを禁止して火傷等の危険を回避することができる。
【００３６】
加熱手段は温水と空気を熱交換させるフィンアンドチューブ型の熱交換器４なので、サーモエレメント１２を使用できる温度且つ熱交換器４が設定温度以上の高温のときに確実にカバー部材６の開放を禁止できる。また、温水の供給を停止した状態で循環ファン３により送風運転することによって熱交換器４の温度を早く下げてメンテナンスを開始することができる。
【００３７】
上記実施例を部分的に変更した例について説明する。
［１］ロック部材１１は、ピン部材１３の進退方向が上下方向になる姿勢で熱交換器４の伝熱管４ａの屈曲部に感温部１２ａが当接するように取り付けられ、外装ケース２の内方に突出する突出部１０ａを上下方向に貫通する係合孔にピン部材１３の先端部分が係合するように係合部１０が配設されていてもよい。この構成でも、熱交換器４が設定温度以上の高温である場合にカバー部材６の開放を禁止することができ、メンテナンス禁止して火傷等の危険を回避することができる。
【００３８】
［２］ピン部材１３の進出方向が交差するように、例えば浴室暖房装置１の幅方向と上下方向にピン部材１３が進出するように２つのロック部材１１を熱交換器４の伝熱管に取り付け、カバー部材６にこれら２つのロック部材１１に対応する２つの係合部１０を設けてもよい。合成樹脂材料により形成されることが多いカバー部材６を弾性変形させて係合を解除することが困難になり、一層強固にカバー部材６の開閉を禁止することができる。また、ヒンジ部でケース本体５に連結されない着脱可能なカバー部材に適用して熱交換器４が高温の場合にカバー部材を取り外せないようにすることもできる。
【００３９】
その他、当業者であれば、本発明の趣旨を逸脱することなく、上記実施形態に種々の変更を付加した形態で実施可能であり、本発明はそのような変更形態を包含するものである。
【符号の説明】
【００４０】
１      ：浴室暖房装置
２      ：外装ケース
３      ：循環ファン
４      ：熱交換器（加熱手段）
４ａ    ：伝熱管
５      ：ケース本体
５ａ    ：開口部
６      ：カバー部材
６ａ    ：ヒンジ部
７      ：フィルタ
８      ：パネル部材
８ａ    ：挿通孔
１０    ：係合部
１０ａ  ：突出部
１０ｂ  ：係合孔
１１    ：ロック部材
１２    ：サーモエレメント
１２ａ  ：感温部
１２ｂ  ：ピストン
１３    ：ピン部材
【図１】
2020134078.tif 000003
【図２】
2020134078.tif 000004
【図３】
2020134078.tif 000005
【図４】
2020134078.tif 000006
【図５】
2020134078.tif 000007
【図６】
2020134078.tif 000008